(57)【要約】【課題】画像形成装置を移動させる際に画像形成装置が傾いて、給紙トレイ等の収納部が不意に引き出されることを防止する。【解決手段】所定の物体を収納し床面と略平行な方向に引き抜き可能な収納部と、上下方向に移動可能なアジャスタフットと、を備えた画像形成装置において、前記アジャスタフットは、前記画像形成装置を設置するときには下面が床面に圧着すると共に上部が前記収納部の引き抜きを妨げないように下方に移動可能であり、前記画像形成装置を移動するときには下面が床面より離間すると共に上部が前記収納部の引き抜きを妨げるように上方に移動可能であること。【選択図】図２
2009282282.tif 000002
【特許請求の範囲】
【請求項１】
所定の物体を収納し床面と略平行な方向に引き抜き可能な収納部と、
上下方向に移動可能なアジャスタフットと、
を備えた画像形成装置において、
前記アジャスタフットは、前記画像形成装置を設置するときには下面が床面に圧着すると共に上部が前記収納部の引き抜きを妨げないように下方に移動可能であり、前記画像形成装置を移動するときには下面が床面より離間すると共に上部が前記収納部の引き抜きを妨げるように上方に移動可能であることを特徴とする画像形成装置。
【請求項２】
前記アジャスタフットは、ボルト状に形成され、回転することにより上下方向に移動することを特徴とする請求項１に記載の画像形成装置。
【請求項３】
前記アジャスタフットは、下端に弾性部材から成る設置部を有し、該設置部の下面が床面に圧着することを特徴とする請求項１又は請求項２に記載の画像形成装置。
【請求項４】
床面に当接し移動するときに回転する車輪を有するキャスタを備えたことを特徴とする請求項１〜３の何れか１項に記載の画像形成装置。
【請求項５】
前記収納部は、記録紙を収納する給紙トレイであることを特徴とする請求項１〜４の何れか１項に記載の画像形成装置。
【請求項６】
前記収納部は、廃トナーを収納するトナーボトルであることを特徴とする請求項１〜４の何れか１項に記載の画像形成装置。
【発明の詳細な説明】
【技術分野】
【０００１】
画像形成装置を設置したときに画像形成装置が移動しないように固定するアジャスタフットを備えた画像形成装置に関する。
【背景技術】
【０００２】
複写機やプリンタ等の画像形成装置の下部には、床面に当接して回転する車輪を有するキャスタが設けられているが、画像形成装置を設置した後に、オペレータが寄り掛かったり、地震等によって振動したりすると、キャスタの車輪が回転して画像形成装置が移動する虞がある。このようなことが生ずると、画像形成装置は大きくて重いので重大事故の原因になる。また、画像形成装置を設置する床面が平らでないときには、不安定な設置状態になり、画像形成装置の機能や性能に影響を及ぼすこともある。このような画像形成装置の移動を防止し、且つ、安定して設置するために、多くの画像形成装置の底部にはアジャスタフットが設けられている。
【０００３】
アジャスタフットはボルト状に形成され、回転させることにより上下方向に移動する。そして、画像形成装置を設置するときにはアジャスタフットを下方に移動させ、下部に設けたゴム等の部材を床面に圧着させて、その摩擦力により画像形成装置の移動を防止する。また、アジャスタフットは４個程度設けられていることが多く、下方への突出量を適宜調整することにより、床面が平らでなくても安定して設置することができる。
【０００４】
このようなアジャスタフットに関して各種の構成が特許公報に開示されている。例えば、筐体内部から回動調整可能なアジャスタフットが開示されている（特許文献１参照）。
【０００５】
また、低温貯蔵庫の庫内から調整可能なアジャスタフットが開示されている（特許文献２参照）。
【０００６】
一方、画像形成装置においては、記録紙を積載して収納する給紙トレイが下部に配置されており、記録紙を収納するときには給紙トレイを床面と平行な方向に引き出す。このような給紙トレイ（給紙カセット）に関しても各種の構成が特許公報に開示されている。例えば、補助規制板を設けた給紙カセットが開示されている（特許文献３参照）。
【特許文献１】実開平４−１０９２１３号公報
【特許文献２】特開２００１−５０６４２号公報
【特許文献３】特開２００６−２１８４１号公報
【発明の開示】
【発明が解決しようとする課題】
【０００７】
オフィス等に複写機等の画像形成装置を新たに設置するときや、設置場所を変更するとき等には、アジャスタフットを上方に移動させて床面から浮かせ、キャスタの車輪を回転させながら画像形成装置を移動させる。一方、画像形成装置に収納された給紙トレイはクリックストップ等により固定され、弱い力では引き出すことはできない。
【０００８】
しかし、キャスタの車輪を回転させながら画像形成装置を斜面になった床面を移動させる様なことや、画像形成装置を人手で担いで階段を上り下りする様なことをして、画像形成装置が傾いた場合には、給紙トレイが衝撃によって不意に引き出されることがあり、この結果、予期せぬ人的被害を及ぼす虞がある。特に、給紙トレイに記録紙が収納されているときには、重力によって給紙トレイが引き出しされ易い。
【０００９】
このような問題は、廃トナーを貯蔵し、床面と平行な方向に引き出し可能なトナーボトルに関しても同様である。
【００１０】
本発明はかかる問題に鑑みてなされたものであり、画像形成装置を移動させる際に画像形成装置が傾いて、給紙トレイ等の収納部が不意に引き出されることをアジャスタフットにより防止した画像形成装置を提案することを発明の目的とする。
【００１１】
なお、アジャスタフットや給紙トレイに関する種々の構成が特許文献に開示されているが、給紙トレイ等の収納部が引き出されることをアジャスタフットにより防止する構成は知られていない。
【課題を解決するための手段】
【００１２】
前記目的は、下記に記載した発明により達成される。
【００１３】
１．所定の物体を収納し床面と略平行な方向に引き抜き可能な収納部と、
上下方向に移動可能なアジャスタフットと、
を備えた画像形成装置において、
前記アジャスタフットは、前記画像形成装置を設置するときには下面が床面に圧着すると共に上部が前記収納部の引き抜きを妨げないように下方に移動可能であり、前記画像形成装置を移動するときには下面が床面より離間すると共に上部が前記収納部の引き抜きを妨げるように上方に移動可能であることを特徴とする画像形成装置。
【００１４】
２．前記アジャスタフットは、ボルト状に形成され、回転することにより上下方向に移動することを特徴とする前記１に記載の画像形成装置。
【００１５】
３．前記アジャスタフットは、下端に弾性部材から成る設置部を有し、該設置部の下面が床面に圧着することを特徴とする前記１又は前記２に記載の画像形成装置。
【００１６】
４．床面に当接し移動するときに回転する車輪を有するキャスタを備えたことを特徴とする前記１〜３の何れか１項に記載の画像形成装置。
【００１７】
５．前記収納部は、記録紙を収納する給紙トレイであることを特徴とする前記１〜４の何れか１項に記載の画像形成装置。
【００１８】
６．前記収納部は、廃トナーを収納するトナーボトルであることを特徴とする前記１〜４の何れか１項に記載の画像形成装置。
【発明の効果】
【００１９】
本発明の画像形成装置によれば、画像形成装置を移動させる際に画像形成装置が傾いても、給紙トレイ等の収納部が不意に引き出されることが防止される。従って、予期せぬ人的被害が生ずる虞がない。
【発明を実施するための最良の形態】
【００２０】
本発明の画像形成装置に関する実施の形態を図１及び図２を参照して説明する。図１は画像形成装置の斜視図、図２は給紙トレイやアジャスタフット等の断面図である。
【００２１】
図１は画像形成装置の一例であり、下部には床面と略平行な方向に引き抜き可能な給紙トレイ（収納部）１を有する。そして、給紙トレイ１に記録紙を載置して収納するときには給紙トレイ１を引き抜き、画像形成装置の使用時には図１の如く給紙トレイ１を画像形成装置の中に収納する。
【００２２】
次に、図２において、図２（Ａ）は給紙トレイ１を画像形成装置から僅かに引き抜いた図、図２（Ｂ）は給紙トレイ１を画像形成装置の中に収納した図である。
【００２３】
先ず、図２（Ａ）に基づいて本構成を説明する。
【００２４】
画像形成装置の底部には二つのフレームから成る底部フレーム２が設けられ、底部フレーム２は画像形成装置における不図示の各機構を保持する。また、底部フレーム２の上方には記録紙Ｐを収納する給紙トレイ１が図の左右方向に摺動可能に構成され、給紙トレイ１に記録紙Ｐを収納するときには、床面Ｆと略平行な方向な右方向に引き抜く。
【００２５】
底部フレーム２の下方にはボルト状に形成された複数のアジャスタフット３，４が配置され、アジャスタフット３，４に設けられた雄ネジ部３ａ，４ａが底部フレーム２に螺設された雌ネジ部２ａ，２ｂと螺合している。
【００２６】
また、底部フレーム２の下部には回転する車輪５ａを有するキャスタ５が固定されている。
【００２７】
このように構成された画像形成装置を床面Ｆに設置して使用するときには、アジャスタフット３，４における周面が六角形に形成された駆動部３ｂ，４ｂをスパナ等の工具で回転させ、アジャスタフット３，４を雄ネジ部３ａ，４ａと雌ネジ部２ａ，２ｂとの螺合により下方に回転移動させる。アジャスタフット３，４の下部には硬質ゴム等の弾性部材から成る設置部３ｃ，４ｃが設けられ、この設置部３ｃ，４ｃの下面が各々床面Ｆに圧着するので、床面Ｆとの間に大きな摩擦力が生じ、画像形成装置は容易に移動することがなく、安定して設置される。また、床面Ｆが平らでないときは、全ての設置部３ｃ，４ｃの下面が各々均等に床面Ｆに圧着するように、全てのアジャスタフット３，４の回転移動量を調節する。
【００２８】
このときに、アジャスタフット３，４の上部３ｄ，４ｄは底部フレーム２の上面２ｃより上方に突出していないので、給紙トレイ１の引き出しを妨げることがない。
【００２９】
次に、新たに画像形成装置を設置するときや設置場所を変更するときには、画像形成装置を移動させることになる。このときには、図２（Ｂ）に示す如く、先ず給紙トレイ１を画像形成装置の内部に収納する。続いて、アジャスタフット３，４の駆動部３ｂ，４ｂを工具で回転させ、アジャスタフット３，４を上方に回転移動させる。すると、給紙トレイ１の引き出し方向側に位置するアジャスタフット３の上部３ｄが底部フレーム２の上面２ｃより上方に突出し、更に給紙トレイ１の底面部１ａに設けた孔１ｂを貫通するので、給紙トレイ１の引き出しを妨げる状態になる。このとき、アジャスタフット３の設置部３ｃの下面は床面Ｆより離間して上方に移動する。給紙トレイ１の引き出し方向の反対側に位置するアジャスタフット４についても、同様に上方に移動させ、アジャスタフット４の設置部３ｃの下面が床面Ｆより離間するようにする。この結果、床面Ｆにはキャスタ５のみが接地するので、画像形成装置を移動させるときにキャスタ５の車輪５ａが回転して容易に移動させることができる。
【００３０】
特に、給紙トレイ１は前述の如くアジャスタフット３の上部３ｄにより引き出しが妨げられているので、画像形成装置を傾けて移動するようなことがあっても、給紙トレイ１が不意に引き出されることがなく、予期せぬ人的被害が生ずることがない。
【００３１】
また、給紙トレイ１の引き出し方向側に位置するアジャスタフット３を２本程度設けることが望ましい。また、給紙トレイ１の引き出し方向の反対側に設けたアジャスタフット４は雄ネジ部４ａが短いので、アジャスタフット４を上方に回転移動させても上部４ｄが底部フレーム２の上面２ｃより突出しない。これにより、給紙トレイ１の仕切板１ｃを図の左方に移動させ、よりサイズの大きい記録紙Ｐを収納したときも、アジャスタフット４が邪魔になることがない。
【００３２】
更に、給紙トレイ１の引き出しを妨げるために、以上の構成はアジャスタフット３の上部３ｄを給紙トレイ１の底面部１ａに設けた孔１ｂに貫通させたが、このような構成に限定されるものではなく、どのような構成にしてもよい。例えば、給紙トレイ１の底面部１ａの一部を下方に切り曲げし、この切り曲げした部分にアジャスタフット３の上部３ｄが当接するようにしてもよいし、給紙トレイ１の底面部１ａの下面にアジャスタフット３の上部３ｄが当接する部材を固着するようにしてもよい。また、アジャスタフット３の上部３ｄが給紙トレイ１の前面部１ｄに当接可能な構成にしてもよい。
【００３３】
その他に、以上の構成は画像形成装置の移動時に給紙トレイ１が不意に引き出されることをアジャスタフット４により防止したものであるが、本発明は給紙トレイ１に限定されるものでない。例えば、廃トナーを貯蔵するトナーボトル（収納部）を床面と略平行な方向に引き抜く構成の画像形成装置の場合は、画像形成装置の移動時にトナーボトルが不意に引き出されることをアジャスタフット４により防止することも前述と同様な構成で実現できる。
【図面の簡単な説明】
【００３４】
【図１】画像形成装置の斜視図である。
【図２】給紙トレイやアジャスタフット等の断面図である。
【符号の説明】
【００３５】
１  給紙トレイ
２  底部フレーム
２ａ，２ｂ  雌ネジ部
３，４  アジャスタフット
３ａ，４ａ  雄ネジ部
３ｂ，３ｃ  駆動部
３ｃ，４ｃ  設置部
３ｄ，４ｄ  上部
５  キャスタ
５ａ  車輪
Ｐ  記録紙
Ｆ  床面
【図１】
2009282282.tif 000003
【図２】
2009282282.tif 000004